(57)【要約】      （修正有）【課題】足に装着することにより、着座又は横臥した楽な姿勢でも下肢の後ろ側（ふくらはぎ）を伸ばして血行を改善できる下腿伸ばし器具を提供する。  【解決手段】足の甲部、指部及び底面前部を爪先側から覆うように装着される側面視概ね馬蹄形の部材で、甲部を覆う部分の一端が足首の付け根前側に当接する本体２と、本体２において底面前部を覆う部分の内側面に設けられ、足の前部を保持する保持具３と、本体２において甲部を覆う部分の外側面に設けられ、甲部を覆う部分を脛部側に引き寄せるように脚部を拘束する拘束具４と、を備える。【選択図】図１
0003211669.tif 000002
【実用新案登録請求の範囲】
【請求項１】
足の甲部、指部及び底面前部を爪先側から覆うように装着される側面視概ね馬蹄形状の部材であって、装着された状態において、前記指部及び前記底面前部を覆う部分が爪先を前記甲側へ反り返らせるように足に当接すると共に、前記甲部を覆う部分の端部が足首の付け根に当接する本体と、
前記本体において前記底面前部を覆う部分の内側面に設けられ、足の前部を保持する保持具と、
前記本体において前記甲部を覆う部分の外側面に設けられ、前記端部を支点として前記甲部を覆う部分に脛部を引き寄せるように下腿部を拘束する拘束具と、
を備えることを特徴とする下腿伸ばし器具。
【請求項２】
前記本体は、パイプにその円周方向に延びる一定幅の切欠きを設けることにより側面視概ね馬蹄形に形成されていることを特徴とする請求項１記載の下腿伸ばし器具。
【請求項３】
前記本体は、前記甲部を覆う部分の端部にクッション材が取り付けられていることを特徴とする請求項１又は２記載の下腿伸ばし器具。
【考案の詳細な説明】
【技術分野】
【０００１】
本考案は、足に装着することにより下腿の後ろ側（脹脛）を伸ばして、血行を改善する下腿伸ばし具に関する。
【０００２】
従来、下肢の血行を改善するために脹脛を伸ばす器具として、長い柄の一端に把持部を備え、他端にＬ字形状に形成した折曲部を備えるものが提案されている（例えば特許文献１参照）。この器具を使用する際は、Ｌ字形状の内隅角部に指の付け根がくるように折曲部に足の前部裏側を押し当て、爪先が甲側へ反り返るようにした状態で、下肢全体を真直ぐ伸ばすと共に把持部を手で引くことにより脹脛を伸ばす。当該器具は構造が簡単で、動力源も不要であるため、故障の心配が無く何処でも脹脛を伸ばすことができる。
【先行技術文献】
【特許文献】
【０００３】
【特許文献１】特開２００１−１４５６７５号公報
【考案の概要】
【考案が解決しようとする課題】
【０００４】
しかし、上記従来の器具は、使用中に把持部を引っ張り続ける必要があり、手が疲れることは勿論、脹脛を伸ばしている間中、使用者は手が使えなくなり他のことができないという問題がある。また、長い柄が付いており嵩張るため、運搬や収納に困ることがある。
【０００５】
本考案は、上記事情に鑑み、動力源不要の簡単な構造であると共に脹脛を伸ばしている間も両手を自由に使うことができ、運搬や収納場所にも困らない下腿伸ばし具を提供することを目的とする。
【課題を解決するための手段】
【０００６】
請求項１は、足の甲部、指部及び底面前部を爪先側から覆うように装着される側面視概ね馬蹄形状の部材であって、装着された状態において、前記指部及び前記底面前部を覆う部分が爪先を前記甲側へ反り返らせるように足に当接すると共に、前記甲部を覆う部分の端部が足首の付け根に当接する本体と、
前記本体において前記底面前部を覆う部分の内側面に設けられ、足の前部を保持する保持具と、
前記本体において前記甲部を覆う部分の外側面に設けられ、前記端部を支点として前記甲部を覆う部分に脛部を引き寄せるように下腿部を拘束する拘束具と、
を備えることを特徴とする下腿伸ばし器具を提供する。
【０００７】
請求項２は、前記本体は、パイプにその円周方向に延びる一定幅の切欠きを設けることにより側面視概ね馬蹄形に形成されていることを特徴とする請求項１記載の下腿伸ばし器具を提供する。
【０００８】
請求項３は、前記本体は、前記甲部を覆う部分の端部にクッション材が取り付けられていることを特徴とする請求項１又は２記載の下腿伸ばし器具を提供する。
【考案の効果】
【０００９】
本考案の請求項１記載の下腿伸ばし器具によれば、足に装着するだけで指部を含む足全体を背屈させた状態にして、動力源を用いずに脹脛を伸ばし血行を改善することができるという優れた効果を奏し得る。しかも保持具及び拘束具で脹脛を伸ばした状態に維持するため、装着後は手を使う必要がなく空いた手で他の作業を行える。本体が側面視概ね馬蹄形状で足を覆う程度の大きさであるため、運搬及び収納時の取り扱い性にも優れる。
【００１０】
本考案の請求項２記載の下腿伸ばし器具によれば、請求項１記載の下腿伸ばし器具が奏し得る効果に加えて、以下の効果を奏し得る。パイプを円周方向に一定幅切り欠くことにより、側面視概ね馬蹄形状の本体を簡単かつ安価に製作できるようにしたので、使用者の足の大きさに合わせてサイズ違いのものを製作する場合も、専用型を起こしたりする必要が無く、既存のパイプから適当なサイズを選択して容易に対応できる。
【００１１】
本考案の請求項３記載の下腿伸ばし器具によれば、請求項１又は２記載の下腿伸ばし器具が奏し得る効果に加えて、以下の効果を奏し得る。足を背屈させるための支点となる端部にクッション材を設けたので、足首の付け根が痛くならず長時間連続使用できる。
【図面の簡単な説明】
【００１２】
【図１】本考案に係る下腿伸ばし具の一例を示す図。
【図２】下腿伸ばし具を使用者の足に装着された状態を示す図。
【図３】下腿伸ばし具の本体の構造を説明する図。
【考案を実施するための形態】
【００１３】
本考案の一実施例である下腿伸ばし具１について図面参照しながら説明する。下腿伸ばし具１は、図１及び図２に示すように、側面視概ね馬蹄形状の本体２と、ベルト３１を有してなり本体２の馬蹄形状の内側面に設けられる保持具３と、ベルト４１を有してなり本体２の馬蹄形状の外側面に設けられる拘束具４を備えてなり、使用者の足の甲部、指部及び底面前部を本体２で爪先側から覆う状態で装着される。これにより、図２に示すように本体２において足の指部及び底面前部を前方及び下方から覆う部分が足の底面側に当接して、その湾曲面（円周面）で爪先を甲部側（図中の上方）へ反り返らせるように指部を背屈させる。また、同図に示すように本体２において甲部を上方から覆う部分の端部２ａを足首の前側の付け根に当接した状態として、拘束具４で甲部を覆う部分を引っ張ることにより、端部２ａを支点として甲部を脛部に接近させて足全体を背屈させる。その結果、脹脛が伸ばされて下肢の血行が改善される。
【００１４】
本体２は、図１及び図２に示すように、その馬蹄形状に沿って延びる細長い巾着袋のような布製のカバー２１で全体を覆われており、その内部に本体２を実質的に形成する部材２２が収容されている。部材２２は、足の横幅よりも数ｃｍ程度大きい幅Ｗにカットした肉厚直円筒形状の合成樹脂製パイプにおいて、図３に示すように円周方向に延びる一定幅の切欠きＸ（図中の一点鎖線で示す部分）を設けることで側面視概ね馬蹄形状に形成されている。部材２２において切欠きＸに臨む二つの端部２２ａ及び２２ｂのうち本体２の端部２ａ（図２）に対応する一方の端部２２ａには、その幅方向の全体を覆って足首の付け根への当たりを緩和するクッション材２３が取り付けられている。端部２２ａに対向する他方の端部２２ｂにクッション材は取り付けていないが、怪我やカバー２１の破れを防止するためにエッジが丸められている。
【００１５】
部材２２には、保持具３を設けるための取り付け孔２２ｃ，２２ｃと、拘束具４を設けるための取り付け孔２２ｄ，２２ｄが、図３に示すように、それぞれパイプの円周方向に延びるスリット形状の貫通孔として形成されている。取り付け孔２２ｃ，２２ｃは、端部２２ｂの近傍で円筒軸方向の両端付近に設けられ、足の横幅寸法と略同距離をあけて並列配置されている。取り付け孔２２ｄ，２２ｄは、端部２２ａより少し離れた円周位置で円筒軸方向の両端付近に設けられて相互に離れた状態で並列配置されている。保持具３は、ベルト３１の両端が取り付け孔２２ｃ，２２ｃから部材２２の内側面側に露出するように挿通されており、その一端に設けられたダブルリング式のバックル３２を他端と係合させることにより、図２に示すように、本体２の内側面側において使用者の足の前部を保持する。
【００１６】
拘束具４は、ベルト４１の両端が取り付け孔２２ｄ，２２ｄから部材２２の外側面側に露出するように挿通されており、その一端４１ａにリング式のバックル４２が取り付けられ、他端４１ｂに面ファスナの雄面４３ａと雌面４３ｂが長手方向に並ぶように直列的に配置されて取り付けられている。図１に示すように他端４１ｂをバックル４２に挿通して折り返すことで雄面４３ａと雌面４３ｂが面結合されて、図２に示すように使用者の下腿部を拘束することができる。ベルト４１の折返し位置を変えればベルト長さを調整可能であり、これにより端部２ａ（２２ａ）を支点として本体２の外側面を使用者の脛部側に引き寄せることができる。結果として、本体２の内側面に保持されている足が背屈されて、脹脛を伸ばすことができる。なお、本体２に対する拘束具４の取り付け位置を、本体２を足に装着したときの最上部よりも前側（端部２２）に設定することで、足を大きく背屈させることができる。
【００１７】
上記実施形態に係る下腿伸ばし具１によれば、足に装着することで指部を含む足全体を背屈させて、動力源を用いずに脹脛を伸ばして血行を改善することができる。しかも保持具３及び拘束具４で脹脛を伸ばした状態を維持されて、装着後に手を使う必要がなく、空いた手で他の作業をすることもできる。また、本体２が側面視概ね馬蹄形状で足を覆う程度の大きさであるから、運搬・収納時の取り扱い性にも優れる。また、本体を合成樹脂製パイプの周方向を一定幅切り欠くことで形成するようにしたので、異なるサイズのものを製作する場合でも、専用型を起こしたりする必要が無く、既存の合成樹脂製パイプから適当なサイズを選択して容易に対応することができる。更に足を背屈させるための支点となる端部にクッション材を設けられているので、足首の付け根が痛くならず、長時間連続的に使用することができる。
【００１８】
上記実施形態のカバー２１には、取り付け孔２２ｃ，２２ｃ，２２ｄ，２２ｄに対応する貫通孔が形成されており、カバーを装着した状態でも保持具３のベルト３１及び拘束具４のベルト４１を露出させられるようになっているが、必ずしもカバーを設ける必要はなく、部材２２をそのまま本体として使用しても良いことは勿論である。また、上記実施形態では、本体２の材料として、軽さ、加工し易さ、材料コスト等から合成樹脂製のパイプを採用したが、他の素材を採用しても良い。
【符号の説明】
【００１９】
１    下腿伸ばし具
２    本体
３    保持具
４    拘束具
【図１】
0003211669.tif 000003
【図２】
0003211669.tif 000004
【図３】
0003211669.tif 000005